(57)【特許請求の範囲】
【請求項１】
細長い棒状に構成されている巻付部材であって、
その巻付部材の周囲には、シート状の放射部を巻き付けるための巻付け面を備え、
上記シート状の放射部を巻付ける為の巻付け面の軸心方向の長さは、放射部の巾寸法に対応させた寸法に設定してあり、
上記シート状の放射部は、上記棒状の巻付部材の外周の巻付面に対しての巻き付けと、机上面に対する展開を自在に柔軟性を具備させてあり、かつ、
上記放射部の元部側の一端は、上記巻付部材に連結してあり、
さらに、上記巻付部材には、家屋に固設されているテレビ端子へ給電線を介しての接続を可能にしてある給電部が備えられていて、
上記シート状の放射部を机上に展開し、その上に移動体端末を載置した状態で、上記給電部からのワンセグ信号を上記放射部に送り、放射部に載置されている上記移動体端末に対して受信可能に伝送するようにしてあることを特徴とするワンセグ信号用放射装置の構造。
【請求項２】
上記巻付部材は、中空筒状に形成されたケース体内に、同軸状態で回動自在に存置させ、
上記筒状のケース体の外周においては、上記巻付部材に巻付けられるシート状の放射部を引出し、巻き込み自在に通過させる為の細巾の挿通口を上記筒状のケース体の軸線方向に向けて備えさせ、
さらに、上記中空ケース体の両側の開口部には、巻付部材の両側を回動自在に支持するための軸受部材を備えさせてあることを特徴とする請求項１記載のワンセグ信号用放射装置の構造。
【発明の詳細な説明】
【技術分野】
【０００１】
本発明は、移動体端末（例えば携帯電話、携帯用電子辞書等）を用いて、受信条件の悪く、ワンセグ放送を受信することのできない場所（不感地帯とも称されている）においても、良好な状態でワンセグ放送を受信できるようにする為のワンセグ信号用放射装置の構造に関するものである。
【背景技術】
【０００２】
近年、ワンセグ放送が開始されたことにより、携帯電話を用いてワンセグ放送を受信することができるようになった。このワンセグのサービス（テレビ放送、数々のデータ放送等）は、多くの人に楽しまれている。
しかし、地下街、ビルの中などで、電波の届かない場所や受信条件の悪い場所では、携帯電話で上記ワンセグ放送を視聴できない場合がある（例えば、平成１７年６月２１日付の総務省の報道資料「地下街等電波遮蔽空間における地上放送の普及の在り方に関する調査研究会の開催」参照）。
そこで、その改良が望まれている。
【０００３】
【非特許文献１】http://www.soumu.go.jp/s-news/2005/050621_6.html
【発明の開示】
【発明が解決しようとする課題】
【０００４】
この改良としては、微小な電力の中継器を用意して、限定された面積の地域に向けて、再送信することが考えられる。
しかしながら、一般家庭内において再送信を行おうとすると、不適切な機器の使用や設置の仕方によって、既存の放送電波と干渉して予期しない混信等の問題を発生させる場合がある。
【０００５】
本件出願の目的は、不感地帯であっても、移動体端末でワンセグ信号を受信して、ワンセグ放送を視聴することができるワンセグ信号用放射装置の構造を提供しようとするものである。
他の目的は、不感地帯において移動体端末でワンセグ信号を受信する場合、電波漏れ等の周辺への悪影響等を及ぼすおそれがないワンセグ信号用放射装置の構造を提供しようとするものである。
他の目的は、机上において、メモを取りながらワンセグ放送を視聴する場合、メモ用紙と視聴画面との間を実質的に同じ高さに保つ状態で視線を移し替えできるワンセグ信号用放射装置の構造を提供しようとするものである。
他の目的及び利点は図面及びそれに関連した以下の説明により容易に明らかになるであろう。
【課題を解決するための手段】
【０００６】
本発明におけるワンセグ信号用放射装置の構造は、細長い棒状に構成されている巻付部材１０であって、その巻付部材１０の周囲には、シート状の放射部Ｃを巻き付けるための巻付け面１２を備え、上記シート状の放射部Ｃを巻付ける為の巻付け面１２の軸心方向の長さＷ１は、放射部の巾寸法Ｗ２に対応させた寸法に設定してあり、上記シート状の放射部Ｃは、上記棒状の巻付部材１０の外周の巻付面１２に対しての巻き付けと、机上面５に対する展開を自在に柔軟性を具備させてあり、かつ、上記放射部Ｃの元部側の一端３４は、上記巻付部材１０に連結してあり、さらに、上記巻付部材１０には、家屋に固設されているテレビ端子３へ給電線４３を介しての接続を可能にしてある給電部Ｄが備えられていて、上記シート状の放射部Ｃを机上に展開し、その上に移動体端末７を載置した状態で、上記給電部Ｄからのワンセグ信号を上記放射部Ｃに送り、放射部Ｃに載置されている上記移動体端末７に対して至近距離から受信可能に伝送するようにしたものである。
【０００７】
また好ましくは、上記巻付部材１０は、中空筒状に形成されたケース体３１内に、同軸状態で回動自在に存置させ、上記筒状のケース体３１の外周においては、上記巻付部材１０に巻付けられるシート状の放射部Ｃを引出し、巻き込み自在に通過させる為の細巾の挿通口31ｂを上記筒状のケース体３１の軸線方向に向けて備えさせ、さらに、上記中空ケース体３１の両側の開口部31ｃ、31ｃには、巻付部材１０の両側を回動自在に支持するための軸受部材３３，３４を備えさせてあるものであればよい。
【発明の効果】
【０００８】
以上のように本発明は、ワンセグ放送の不感地帯において、移動体端末７、例えば携帯電話を利用してワンセグ放送を受信して視聴したい場合、シート状の放射部Ｃを机上に展開した状態で、放射部Ｃの上に移動体端末７を載置することにより、給電部Ｄからのワンセグ信号を上記移動体端末７で受信することができるので、不感地帯であってもワンセグ放送を受信して視聴することができる利用上の効果がある。
【０００９】
しかも、不感地帯において受信する場合、ワンセグ信号用放射装置Ａにおける放射部Ｃの上に携帯電話７を載せて、至近距離に位置する放射部Ｃからワンセグ放送の電波を受信するものなので、放射部Ｃから放射する信号は微弱で足りる特徴がある。
このことは、周辺への電波漏れを殆ど皆無にすることができるので、電波漏れ等の周辺への悪影響を及ぼすおそれを無くすことのできる効果がある。
【００１０】
その上、携帯電話７によりワンセグ信号を受信する場合、携帯電話７を放射部Ｃの上に置くだけで、放射部Ｃからのワンセグ信号を受信できるので、携帯電話７をワンセグ信号の受信に用いる場合と、携帯電話７を本来の用途（例えば通話）に用いる場合の頻繁な切替え操作も、片手で、かつ、迅速にできる効果がある。
【００１１】
さらに本発明は、携帯電話７を載置すべき放射部Ｃはシート状に形成され、高さ方向（厚み方向）に嵩張りがないので、机上５において、メモを取りながらワンセグ放送を視聴する場合、携帯電話７を机上に直接載置するのと略同様の高さで載置できる特長がある。
このことは、ワンセグ放送を視聴しながらその情報をメモするとき、メモ用紙と視聴画面との間を実質的に同じ高さに保つ状態で視線を移し替えできる利用上の効果がある。
【００１２】
さらに本発明は、携帯電話７でワンセグ放送を視聴する必要がなくなり、机上５を他の事務処理に利用したい場合、机上５に展開した放射部を巻付部材10に巻付けて、棒状にして小嵩にすることができる。よって、ワンセグ信号用放射装置Ａを机上５の隅に片付けて、机上を広く使用できる効果がある。
【００１３】
さらに本発明は、ワンセグ信号用放射装置Ａが収納状態では、上記したように棒状で小嵩になるので、外傷が加わる確率が低くなる。
仮に、加わったとしても、シート状の放射部Ｃは棒状に一体化しているので、部分的な外圧に耐えて、長寿命で使用することのできる効果がある。
【発明を実施するための最良の形態】
【００１４】
以下本発明の実施の形態を図面を用いて説明する。
図１は、不感地帯において、ワンセグ信号用放射装置Ａの使用方法を説明する為の概略斜視図。
図２はワンセグ信号用放射装置Ａを説明する為の分解斜視図。
図３はワンセグ信号用放射装置Ａにおける放射部Ｃを巻付部材10に巻付けた状態を説明する為の図で（Ａ）は平面図、（Ｂ）は（Ａ）におけるIII−III線断面図。
【００１５】
図１において、３は不感地帯における家屋の壁２に固設されているテレビ端子、４は机、Ａは机上５に載置されたワンセグ信号用放射装置を示す。７は周知の移動体端末、例えばワンセグ信号受信可能な折畳式の携帯電話を示す。携帯電話７において、７ａは主体部、７ｂは表示部、７ｃは主体部７ａに内蔵される周知のワンセグ受信機能、例えばアンテナの存在を示し、ワンセグ信号を受信することができる。
なお、移動体端末７でワンセグ信号を受信する例を説明したが、それに代えて移動体端末で受信できる地上デジタル放送の信号、例えば、フルセグ信号、ワンセグ信号、デジタルラジオの信号の全て、或いはその内の何れかを受信するようにしてもよい（以下本明細書において、移動体端末で受信できる地上デジタル放送の信号を単に「ワンセグ信号」と称する）。
【００１６】
本件のワンセグ信号用放射装置Ａにおける巻付部材１０は、中空の細長い棒状に構成されている。その巻付部材１０の周囲には、シート状の放射部Ｃを巻き付ける為の巻付け面１２を備え、上記シート状の放射部Ｃを巻付ける為の巻付け面１２の軸心方向の長さＷ１は、放射部Ｃの巾寸法Ｗ２に対応させた寸法（例えば、Ｗ１：１５１mm、Ｗ２：１５０mmに設定してあり、さらに、上記巻付部材１０には、家屋に固設されているテレビ端子３へ給電線４３を介しての接続を可能にしてある給電部Ｄが備えられている。
【００１７】
この点を図２を用いて詳しく説明する。
巻付部材１０において、１４は後述する放射部Ｃの元部２４と連結する連結部で、両者は周知の接着材で連結されている。１５は給電線４７を引込む為の中空孔を示し、その端口15ａには、給電部Ｄのプラグ４５に対応する周知のジャックが備えられ、給電部Ｄからのワンセグ信号が伝送される。１６は中空の巻付部材１０の周壁を貫通して設けられている引出口を示し、中空孔１５に引込まれた給電線４７の先端を巻付部材１０の外側に出して、放射部Ｃに接続することができる。
１３は必要に応じて設けられる放射部Ｃを規制する為の鍔部を示す。巻付部材１０と鍔部１３はプラスチック等の合成樹脂材で一体的に形成すればよい。
【００１８】
給電部Ｄにおいて、４３は周知の給電線（同軸ケーブルとも称されている）、４４はテレビ端子３に接続するコネクタ（プラグ）、４５は周知のプラグを示す。給電線４３の長さは、コネクタ４４をテレビ端子３に接続して放射部Ｃを机上５に展開して使用する場合を考慮して、任意に設定すればよく、例えば１〜２ｍにすればよい。
なお、給電部Ｄの巻付部材１０への接続手段は、上述したプラグ４５とジャックとで着脱自在に接続しても良いが、給電部Ｄにおける給電線４３を周知のように巻付部材１０に固着して接続しても良い。
【００１９】
本件のワンセグ信号用放射装置Ａにおける放射部Ｃは、シート状で、上記棒状の巻付部材１０の外周の巻付面１２に対しての巻き付けと、机上面５に対する展開を自在に柔軟性を具備させてあり、かつ、上記放射部Ｃの元部側の一端２４は、上記巻付部材１０に連結してある。
この点を図２を用いて詳しく説明する。
シート状の放射部（フィルムアンテナとも称されている）は広く知られており、例えば特開２００６−２６２４１４公報で開示される等広く知られている。放射部Ｃにおいて、２０は放射部Ｃのベースとなる基材を示し、樹脂フィルム、例えばポリエステル、ポリエチレン、アクリル、塩化ビニル、ＰＥＴ、ＡＢＳ、ポリプロピレンで形成すればよく、その厚さは５０〜250ミクロン程度。２１はアンテナ素子の存在を示し、周知のように基材２０に接着した銅やアルミニュームなどの金属泊をエッチングなどにより網目状に形成すればよい。なお、アンテナ素子２１は周知のように、金属導体をプリント、印刷によって導体を付着して形成してもよく、導電塗料により形成してもよい。
２２は給電点を示し、テレビ端子３からのワンセグ信号が給電部Ｄ、給電線４７を介してアンテナ素子２１に伝送するようにしてある。
この放射部Ｃから放射されるワンセグ信号の出力は、周辺に向かって電波障害を起こす恐れのない程度の微弱な信号で、かつ、放射部の上に載置される移動体端末７に対しては充分な値となるワンセグ信号を出力する。
２７は、シート状の放射部Ｃを巻付部材１０の外周の巻付面１２に対して巻付けたり、机上面５に対する展開を操作する為の引出摘み部材を示し、放射部Ｃの先部２６に連結してある。図３（Ｂ）の状態では僅かな部材を残してケース体３１の内部へ引込可能なサイズにしておけばよい。
【００２０】
本件のワンセグ信号用放射装置Ａは、図１からも理解できるように、シート状の放射部Ｃを机上５に展開し、その上に移動体端末７を載置した状態で、上記給電部Ｄからのワンセグ信号を上記放射部Ｃに送り、放射部Ｃに載置されている上記移動体端末７に対して至近距離から受信可能に伝送するようにしてある。
【００２１】
次に、必要に応じて備えるケース体３１について説明する。
上記巻付部材１０は、中空筒状に形成されたケース体３１内31ａに、同軸状態で回動自在に存置させ、上記筒状のケース体３１の外周においては、上記巻付部材１０に巻付けられるシート状の放射部Ｃを引出し、巻き込み自在に通過させる為の細巾の挿通口31ｂを上記筒状のケース体３１の軸線方向に向けて備えさせ、さらに、上記中空ケース体３１の両側の開口部31ｃ、31ｃには、巻付部材１０の両側１３，１３を回動自在に支持するための軸受部材（キャップとも称される）３３，３４を備えさせてある。
【００２２】
この点を図２、３を用いて詳しく説明する。
３２はケース体３１を安定的に机上５に定置する為の脚部材で、ケース体３１とＡＢＳ樹脂材で一体的に形成している。軸受部材３３，３４は、中空ケース体３１の両側の開口部31ｃ、31ｃに対して固着して、それらの内側に位置することになる巻付部材１０を回動自在に支持するようにしてもよいが、軸受部材３３，３４を夫々、巻付部材の両側１３，１３に対して固定的に連結し、ケース体３１に対して、軸受部材３３、３４を相対的に回動させるようにしてもよい。このようにすると、軸受部材３３，３４は放射部Ｃを巻込むときの巻付部材１０に対する回動、操作用摘みとなる。
なお、34aは軸受部材３４に形成されている透孔で、プラグ４５と巻付部材１０への連結を妨げないようにしてある。スプリング３６は、必要に応じて設けるもので、一端36ａを巻付部材１０に、他端36ｂを軸受部材３４に連結してあってもよい。そのスプリング力は、放射部Ｃの引き出し（図３（Ｂ）に示される矢印５０方向への引き出し）を妨げず、巻付部材１０に対して放射部Ｃを巻付るときには、巻付方向（図３（Ｂ）に示される矢印５０と反対方向）に加勢してやると放射部Ｃをケース体内31ａに巻き込む程度に設定すればよい。
【００２３】
上記構成のものを用いて、不感地帯でワンセグ放送を視聴する方法について説明する。なお、ワンセグ信号用放射装置Ａは図３に示される状態にあるものとする。
まず、机上で引出摘み部材２７を摘んで矢印５０方向に引き出し、 図１のように放射部Ｃを机上に展開する。次に、給電部Ｄにおけるコネクタ４４を壁のテレビ端子３に接続し、プラグ４５を巻付部材１０のジャックに連結する。すると、テレビ端子３からのワンセグ信号は、給電部Ｄ、給電線４７を介して放射部Ｃに伝送され、放射部Ｃからワンセグ信号が放射される。
放射部Ｃの上に携帯電話７を載置し、ワンセグ信号の受信を開始すると、携帯電話７の主体部７ａにおけるワンセグ受信機能７ｃによって、ワンセグ信号を受信し（放射部Ｃと、ワンセグ受信機能７ｃとの間のカップリング効果に伴う受信）、ワンセグ放送を視聴することができる。
さらに、ワンセグ放送を視聴しながらその情報をメモしたい場合、携帯電話７を載置している放射部Ｃはシート状で薄く、高さ方向（厚み方向）に嵩張りがないので、メモ用紙と視聴画面との間を実質的に同じ高さに保つ状態で視線を移し替えできる。
【００２４】
次に、ワンセグ放送の視聴を終えて、ワンセグ信号用放射装置Ａを片付ける方法について説明する。なお、ワンセグ信号用放射装置Ａ、携帯電話７は図１の状態にあるものとする。
放射部Ｃの上に載置されている携帯電話７を片付る。引出摘み部材２７をつまんで巻付方向に加勢しながら、図３に示される位置まで放射部Ｃを巻付部材１０の巻付け面１２に巻付け、放射部Ｃをケース体内31ａに収納する。
図３に示される状態では、ワンセグ信号用放射装置Ａは棒状で小嵩になる。よって、ワンセグ信号用放射装置Ａを机上５の隅に片付けて、机上を広く使用できる。
なお、ケース体３１を備えさせない場合は、図３（Ｂ）から理解できるように、放射部Ｃは表出するが、放射部Ｃは巻付部材１０に固く巻かれるので、外力に対しては丈夫な形態になる。
【００２５】
なお、放射部Ｃを巻付部材１０から引き出したり、巻付けたりする場合、巻付部材１０が回動するに伴い給電部のプラグ４５も回動するが、放射部Ｃを引き出し、巻付する程度の回転は給電線４３の捩れで対応させてもよい。
また、ケース体３１を備えさせる場合にあって、給電部Ｄと巻付部材１０との間の接続の異なる例を図２を用いて説明する。給電部Ｄのプラグ４５に対応する周知のジャックをケース体３１の軸受部材３４の端部34ｂに形成する。その場合は、上記プラグ４５と、対応するジャックとの間を回動可能にしても、軸受部材３４のジャックと、放射部Ｃに接続される給電線４７との間を必要に応じて捻回可能な給電線４６で結んでもよい。次に、ケース体３１を備えない形式の場合は、前記端口１５ａから給電線１６に通じる給電線４７は、巻付部材１０の外周面に添えつけてもよい
【図面の簡単な説明】
【００２６】
【図１】不感地帯において、ワンセグ信号用放射装置Ａの使用方法を説明する為の概略斜視図。
【図２】ワンセグ信号用放射装置Ａの分解斜視図
【図３】（Ａ）は平面図、（Ｂ）は（Ａ）におけるIII−III線断面図
【符号の説明】
【００２７】
Ａ・・・ワンセグ信号用放射装置、Ｃ・・・放射部、Ｄ・・・給電部、２・・・壁、３・・・ＴＶ端子、４・・・机、５・・・机上（上面）、７・・・移動体端末（例えば携帯電話、電子辞書等）、７ａ・・・主体部、７ｂ・・・表示部、７ｃ・・・ワンセグ受信機能、１０・・・巻付部材、１２・・・巻付面、１３・・・鍔部、 １４・・・連結部、１５・・・中空孔、１６・・・引出口、２０・・・基材、２１・・・アンテナ素子、２２・・・給電点、２４・・・元部・連結部、２６・・・先部、２７・・・引出摘み部材、３１・・・ケース体、31ａ・・・収容空間、31ｂ・・・挿通口、31ｃ・・・開口部、３２・・・脚部材、３３・・・軸受部材、３４・・・軸受部材、３６・・・スプリング、36ａ・・・一端、36ｂ・・・他端、４３・・・給電線（同軸ケーブル）、４４・・・コネクタ（プラグ）、４５・・・プラグ、４６・・・給電線（捻回可能な）、Ｗ１・・・巻付部材１０の軸心方向の長さ、Ｗ２・・・放射部の巾寸法
【図１】
0004916474.tif 000002
【図２】
0004916474.tif 000003
【図３】
0004916474.tif 000004